(57)【要約】【課題】  縁無し印字を行う記録装置において、記録媒体に印字される部分に関しても、段階的に記録データを間引くことにより、記録画像に影響の無い範囲で、ミストの低減を図る。【解決手段】  段階的に記録データを間引く制御を行う場合、多パス印字（マルチスキャン印字）で実施する際に、記録媒体の端部、及び、記録媒体からはみ出した部分の間引き率を段階的に高めていく。それと共に、キャリッジの走査毎に、間引き率の設定と、間引き率を設定する領域の両方を変えることにより、記録媒体上で段階的に間引かれる際の、間引き率を変化させた部分を目立たなくする。【選択図】  図３
2008126626.tif 000002
【特許請求の範囲】
【請求項１】
主走査方向に往復移動可能なキャリッジと、前記キャリッジに搭載された記録ヘッドでインクを吐出し記録を行う記録装置であって、かつ、
記録媒体上だけでなく、記録媒体の主走査方向の端部がはみ出した領域にも、はみ出した領域の記録データに基づいて記録を行うことが可能な記録装置において、
記録データを、所定のマスクパターンで間引いて記録する手段と、
記録データのマスクパターンを、主走査方向の領域毎に設定できる手段とを有し、
記録媒体上の主走査方向の端部領域と、主走査方向の端部をはみ出した領域とにマスクを掛けて、記録媒体上の主走査方向の端部領域と、端部をはみ出した領域に記録する記録データを間引くと共に、
前記マスクパターンとマスク領域をキャリッジの走査毎に変更することにより、端部領域付近の記録データの間引き率を段階的に変化させることを特徴とする記録装置。
【発明の詳細な説明】
【技術分野】
【０００１】
本発明は、シリアルインクジェット記録装置に関する内容で、詳しくは、縁無し印字を行う場合に、端部の画像を段階的に間引く方法に関する。
【背景技術】
【０００２】
記録装置の縁無し制御に関しては、特許文献１、特許文献２を含め、広く実施されている。
【０００３】
縁無し印字を行う際、縁無し部を確実に記録するため、記録媒体からはみ出した部分にも印字を行う。このため、記録媒体からはみ出した部分に吐出されたインクが、ミストとなって、装置内に浮遊し、装置や、記録媒体に付着して汚れの原因となる。従って、記録媒体からはみ出した部分の吐出を、極力減らすことが求められる。これを実施するために、はみ出し部分にマスクを掛ける等の提案が行われている。
【特許文献１】特開2005-7595号公報
【特許文献２】特開2005-74968号公報
【発明の開示】
【発明が解決しようとする課題】
【０００４】
しかしながら、端部が正確に検出できない場合や、印字位置に誤差が生じる場合には、はみ出した部分のマスクだけでは、ミストを抑制できない場合がある。この為、記録媒体に印字される部分に関しても、段階的に記録データを間引くことにより、記録画像に影響の無い範囲で、ミストの低減を図ることが考えられる。そこで、この制御を行う場合、より画像品位を落とさない方法が求められている。
【課題を解決するための手段】
【０００５】
そこで、本発明では、段階的に記録データを間引く制御を行う場合、多パス印字（マルチスキャン印字）で実施する際に、記録媒体の端部、及び、記録媒体からはみ出した部分の間引き率を段階的に高めていく。それと共に、キャリッジの走査毎に、間引き率の設定と、間引き率を設定する領域の両方を変えることにより、記録媒体上で段階的に間引かれる際の、間引き率を変化させた部分を目立たなくする。
【発明の効果】
【０００６】
以上説明したように、縁無し記録を行う記録装置において、記録媒体上の主走査方向の端部領域と、主走査方向の端部をはみ出した領域とにマスクを掛けて、記録媒体上の主走査方向の端部領域と、端部をはみ出した領域に記録する記録データを間引く。それと共に、前記マスクパターンとマスク領域をキャリッジの走査毎に変更することにより、端部領域付近の記録データの間引き率を段階的に変化させる。これにより、間引き率が変化する部分の画像劣化を抑制すると共に、記録媒体端部の画像劣化を抑制することが可能である。
【発明を実施するための最良の形態】
【０００７】
（実施例１）
図１は、本発明の実施例に記載のシリアルプリンタである（主要な部分の概観斜視図）。
【０００８】
図２は、本発明の実施例に記載のシリアルプリンタにおける制御ブロック図である。
【０００９】
以下図２に従って、制御ブロックの主要部分を説明する。
【００１０】
CPU（12）は、ROM（13）又は、RAM（14）に格納されているプログラムに従って動作し、ホストコンピュータから送られるラスター単位の記録データを、インターフェース回路（11）で受信し、一旦、RAM（14）に格納した後、CPU（12）、又は、不図示のロジック回路で、記録可能なデータに加工処理され、読み書き可能なメモリMemory（21）に格納される。尚、RAM（14）と、Memory（21）は、同一のものであっても良い。そのデータは、キャリッジの走査による記録ヘッドの走査に合わせて、読み出される。その際、予めマスク（間引き）が設定された領域の記録であれば、記録データマスク手段（20）で記録データを間引いた後、記録ヘッド駆動回路（25）に送られて記録制御が行われ、記録ヘッド(1)を介して記録が行われる。
【００１１】
尚、CRモータ（3）は、キャリッジを走査させるためのモータ。CRモータ駆動回路（23）は、CPU（12）の命令に従って、CRモータ（3）を駆動するための駆動回路。LFモータ（6）は、紙送りを行うためのモータ。LFモータ駆動回路（24）は、CPU（12）の命令に従って、LFモータ（6）を駆動するための駆動回路。操作キー(17)、及び、LED(19)は、ユーザーが操作するための操作パネル上にあり、操作キー(17)で操作された状態は、入力制御回路（16）を介してCPU（12）に伝えられる。LED(19)は、出力制御回路（18）を介してCPU（12）から点灯・消灯が制御される。EEPROM(15)は、記録装置の電源が供給されない状態でも保持しておきたいデータ、例えば、ユーザー設定等、を格納しておく。
【００１２】
図３は、本発明の実施例で示す方法で記録する場合の、記録領域と、記録データのマスク（間引き）率を表す図面である。
【００１３】
図３では、２パス記録を例にとって説明している。２パス記録とは、キャリッジの１回の走査では、記録データを50％に間引いて記録を行い、２回走査することで１つのエリアの画像を完成させる記録方法を示す。図の(a)〜(ｄ)においては、記録データは、既に50％に間引かれていることが前提としており、50％に間引かれたデータから、更に、領域（Ａ1〜Ａ７）毎に、何％の間引きを掛け合わせるかを示している。すなわち、図3‐(a)において、１スキャン目（第１走査）では、エリア(領域)Ａ１に対して、0％の間引きを設定（間引き行わない設定）しているため、元の記録データに対して、トータル50％＊(100％‐0％)＝50％のDutyの印字となる。また、エリア(領域)Ａ２、Ａ３に対して、5％の間引きを設定しているため、元の記録データに対して、トータル50％＊(100％‐5％)＝47.5％のDutyの印字となる。同様に、Ａ４、Ａ５は45%、Ａ６、Ａ７は42.5%となる。
【００１４】
ここでは、1スキャン目の記録は、記録ヘッドの紙送り方向に対して、下半分の部分のみ使って記録を行う場合について説明する。上半分の部分は、記録を行わない。1スキャン目の印字を行った後、記録ヘッドの1/2長さ分だけ紙送りを行い、副走査方向の記録位置変えて、２スキャン目の印字を行う。
【００１５】
同様に、図3‐(b)において、２スキャン目（第２走査）では、エリア(領域)Ａ１、Ａ２に対して、0％の間引きを設定（間引き行わない設定）しているため、元の記録データに対して、トータル50％＊(100％‐0％)＝50％のDutyの印字となる。また、エリア(領域)Ａ３、Ａ４に対して、5％の間引きを設定しているため、元の記録データに対して、トータル50％＊(100％‐5％)＝47.5％のDutyの印字となる。同様に、Ａ５、Ａ６は45%、Ａ７は42.5%となる。
【００１６】
ここで、エリア(領域)Ａ２に注目すると、１スキャン目で記録された画像が47.5%で、２スキャン目で記録された画像が50%であるので、最終的に記録される画像は、元の記録データに対して97.5%のDuty、すなわち、間引き率で言えば2.5%となる。
【００１７】
３スキャン目は、図3‐(c)に示すように、1スキャン目と同様の間引き率と、間引き領域（エリア）を設定し、４スキャン目は、図3‐(d)に示すように、２スキャン目と同様の間引き率と、間引き領域（エリア）を設定する。同様に交互に設定を変えていくことにより、最終的には、図3‐(e)に示すように、画像端部の間引き率を、段階的に変化させることができる。
【００１８】
詳細な間引き率については、図４に記載した。
【００１９】
尚、ここには記載していないが、主走査方向に対し、図示した側とは反対側の端部に関しても、同様の間引きを行う。
［産業上の利用可能性］
シリアルインクジェット記録装置のメモリアクセス回数低減、及び、アクセス時間の短縮
【図面の簡単な説明】
【００２０】
【図１】本発明の実施例に記載のシリアルプリンタである（主要な部分の概観斜視図）。
【図２】本発明の実施例に記載のシリアルプリンタにおける制御ブロック図である。
【図３】本発明の実施例で示す方法で記録する場合の、記録領域と、記録データのマスク（間引き）率を表す図面である。
【図４】本発明の実施例で示す方法で記録する場合の、キャリッジ走査毎の、記録Duty、及び、間引き率を示している。
【符号の説明】
【００２１】
20  記録データマスク手段
21  Memory
1  記録ヘッド
【図１】
2008126626.tif 000003
【図２】
2008126626.tif 000004
【図３】
2008126626.tif 000005
【図４】
2008126626.tif 000006